(57)【特許請求の範囲】
【請求項１】
前ガードとファンの間に複数の整流翼を放射状に配置し、前記整流翼は放射方向に延びる軸線まわりに角度可変であるものとした扇風機において、前記前ガード中心のリムの背面側に配置される固定ハブと、前記固定ハブに組み合わせられるものであって、前記リムの正面側に操作部を有する可動ハブと、前記リムの正面側に配置され、前記固定ハブに連結されて当該固定ハブと共に前記リムに対し回転不能とされるオーナメントを備え、前記整流翼は、その根元部を前記固定ハブと前記可動ハブに挟まれて保持され、当該根元部に形成されたピニオンに、前記可動ハブに形成されたラックをかみ合わせ、当該可動ハブの回転により角度変化を得るものであり、前記固定ハブと前記可動ハブの組み合わせと前記リムの対峙箇所、または前記操作部と前記リムの対峙箇所の、少なくとも一方に、対峙面間に反発力を作用させる反発部材を配置したことを特徴とする扇風機。
【請求項２】
前記反発部材が波ワッシャからなることを特徴とする請求項１に記載の扇風機。
【請求項３】
前記反発部材が弾性部材からなることを特徴とする請求項１に記載の扇風機。
【請求項４】
前記反発部材が、前記対峙面同士の少なくとも一方に形成された弾性係合突起からなることを特徴とする請求項１に記載の扇風機。
【発明の詳細な説明】
【技術分野】
【０００１】
本発明は扇風機に関する。
【背景技術】
【０００２】
扇風機は、モータによって回転駆動されるファンをガードで囲み、風速はモータの回転数制御によって変えるというのが一般的な構造である。特許文献１に記載された冷風扇では、加速翼によって風速が増加するようにし、かつ送風域を可変できるようにしている。出願人は、このような加速翼の考えを応用して、前ガードに整流翼を設けた扇風機構造を発明し、特願２００９−０５２１８７として特許出願を行った。
【先行技術文献】
【特許文献】
【０００３】
【特許文献１】特開昭５８−１０６３３７号公報（国際特許分類：Ｆ２４Ｆ１／０２、Ｆ２５Ｂ１９／００）
【発明の概要】
【発明が解決しようとする課題】
【０００４】
本発明は、前ガードに整流翼を有する扇風機において、整流翼の角度変更に要する操作力を均一化するとともに、部品のがたつきによる異音発生を抑制することを目的とする。
【課題を解決するための手段】
【０００５】
上記目的を達成するために本発明は、前ガードとファンの間に複数の整流翼を放射状に配置し、前記整流翼は放射方向に延びる軸線まわりに角度可変であるものとした扇風機において、前記前ガード中心のリムの背面側に配置される固定ハブと、前記固定ハブに組み合わせられるものであって、前記リムの正面側に操作部を有する可動ハブと、前記リムの正面側に配置され、前記固定ハブに連結されて当該固定ハブと共に前記リムに対し回転不能とされるオーナメントを備え、前記整流翼は、その根元部を前記固定ハブと前記可動ハブに挟まれて保持され、当該根元部に形成されたピニオンに、前記可動ハブに形成されたラックをかみ合わせ、当該可動ハブの回転により角度変化を得るものであり、前記固定ハブと前記可動ハブの組み合わせと前記リムの対峙箇所、または前記操作部と前記リムの対峙箇所の、少なくとも一方に、対峙面間に反発力を作用させる反発部材を配置したことを特徴としている。
【０００６】
この構成によると、前ガード中心のリムと、それに取り付けられる部材の対峙箇所に、対峙面間に反発力を作用させる反発部材を設けたことにより、対峙面間のバックラッシュを排除することができる。そしてこれにより、整流翼の角度変更に要する操作力を均一化するとともに、部材のがたつきによる異音発生を抑制することができる。
【０００７】
また本発明は、上記構成の扇風機において、前記反発部材が波ワッシャからなることを特徴としている。
【０００８】
この構成によると、反発部材を容易に調達できる。
【０００９】
また本発明は、上記構成の扇風機において、前記反発部材が弾性部材からなることを特徴としている。
【００１０】
この構成によると、広い材料分野から反発部材を容易に調達できる。
【００１１】
また本発明は、上記構成の扇風機において、前記反発部材が、前記対峙面同士の少なくとも一方に形成された弾性係合突起からなることを特徴としている。
【００１２】
この構成によると、部品点数と組立工数が減り、製造コストを低減できる。
【発明の効果】
【００１５】
本発明によると、前ガード中心のリムと、それに取り付けられる部材の対峙面間のバックラッシュを排除して、整流翼の角度変更に要する操作力を均一化するとともに、部品のがたつきによる異音発生を抑制することができる。
【図面の簡単な説明】
【００１６】
【図１】本発明に係る扇風機の概略構造を示す部分側面図である。
【図２】整流翼が加速位置にある状況を示す前ガードの正面図である。
【図３】整流翼が分散位置にある状況を示す前ガードの正面図である。
【図４】整流翼保持部の断面図である。
【図５】整流翼保持部を異なる断面位置で示す断面図である。
【図６】整流翼保持部をさらに異なる断面位置で示す断面図である。
【図７】整流翼保持部をさらに異なる断面位置で示す断面図である。
【図８】第１実施形態に係る整流翼保持部の断面図である。
【図９】第１実施形態に係る整流翼保持部の分解断面図である。
【図１０】第２実施形態に係る整流翼保持部の断面図である。
【図１１】第２実施形態に係る整流翼保持部の可動ハブの正面図である。
【図１２】第２実施形態に係る整流翼保持部の可動ハブの部分拡大断面図である。
【図１３】他の構造例に係る整流翼保持部の断面図である。
【図１４】他の構造例に係る整流翼保持部の分解断面図である。
【発明を実施するための形態】
【００１７】
本発明が実施される扇風機の構造を図１に示す。扇風機１は、スタンド２（図１にはその上端部のみ示す）の上端にネック部３を俯仰可能に取り付け、ネック部３は支軸４によりモータケース５を回転可能に支持している。ネック部３とスタンド２の間には図示しないクリックストップ機構が設けられており、ネック部３は一定の角度範囲内で段階的に附仰角を変えることができる。モータケース５は首振り機構を内蔵していて、使用者が「首振り」の選択操作を行えば、モータケース５は支軸４を中心とした首振りを行う。これらの機構は周知なので詳細な説明は省略する。
【００１８】
モータケース５の正面（扇風機１の風を受ける使用者に向き合う側を「正面」とし、その反対側を「背面」とする。他の構成要素に関する「正面」「背面」も同様の意味で用いるものとする）からは、モータケース５に内蔵された図示しないモータの出力軸６が突出する。出力軸６にはファン７が固定される。ファン７を背面側から覆う後ガード８がモータケース５に取り付けられ、後ガード８にはファン７を正面側から覆う前ガード９が取り付けられる。
【００１９】
前ガード９とファン７の間には複数の整流翼１０が一定の角度間隔で放射状に配置される。整流翼１０は図２に示す「加速位置」と、図３に示す「分散位置」の２位置をとる。整流翼１０の翼面は、「加速位置」ではファン７の軸線に対しほぼ平行となり、「分散位置」ではファン７の軸線に対しほぼ直角となる。続いて整流翼１０の保持と角度変更の仕組みを図４以下の図に基づき説明する。
【００２０】
後ガード８及び前ガード９の主体をなすのは、所定ピッチで放射状に配置された複数の金属線である。前ガード９の中心には金属板をプレス成型したリング状部品であるリム１１が配置され、金属線に溶接固定される。このリム１１を中心として、整流翼保持部２０が組み立てられる。
【００２１】
本発明が適用される整流翼保持部２０の構造を図４から図７までの図に基づき説明する。整流翼保持部２０の主たる構成要素は、リム１１の背面側に配置される固定ハブ２１と、固定ハブ２１とリム１１の間に、固定ハブ２１に対し相対回転可能に配置される可動ハブ２２と、リム１１の正面側に配置されるオーナメント（飾り）と、固定ハブ２１と可動ハブ２２の間に配置されるリング状のリテーナ２５である。オーナメントには、リム１１の中心の穴を隠すディスク状オーナメント２３と、ディスク状オーナメント２３を囲む形で配置されるリング状オーナメント２４がある。リング状オーナメント２４は、外径がリム１１の外径よりも少し大きくなっており、正面からの視点ではリム１１をすっかり覆い隠す。
【００２２】
図７に示すように、ディスク状オーナメント２３の背面側にはリム１１に形成された穴２６に嵌合するボス２７が形成され、固定ハブ２１の正面側には、ボス２７に突き合わせられるボス２８が形成されている。ボス２８の側からボス２７にねじ２９をねじ込んで締め付けると、固定ハブ２１とディスク状オーナメント２３はリム１１に固定され、リム１１に対する相対回転が止められる。穴２６、ボス２７、及びボス２８の組み合わせは、正面から見たとき、前ガード９の中心に対し点対称をなすように２組設けられる。
【００２３】
固定ハブ２１と可動ハブ２２はいずれも回転体形状（図形を軸線周りに３６０°回転させて得られる立体形状）が基本形状であって、固定ハブ２１は正面側が凹部、可動ハブ２２は背面側が凹部となっており、両者を組み合わせると環状の空間３０が形成される。固定ハブ２１と可動ハブ２２の組み合わせ状態は、図６に示すように、可動ハブ２２側のフック３１を固定ハブ２１側の環状リブ３２に係合させて維持される。フック３１が環状リブ３２に係合した状態でも、可動ハブ２２の固定ハブ２１に対する相対回転が可能であるように、はめ合い寸法が設定されている。
【００２４】
空間３０に整流翼１０の根元部１０ａが挿入される。根元部１０ａは整流翼１０の角度変更を行う際に軸として機能するものであり、前ガード９の中心軸から放射方向に延びる軸線を有する。
【００２５】
固定ハブ２１には、整流翼１０の根元部１０ａを受け入れる半円形の凹部３３（図５参照）が形成される。凹部３３は根元部１０ａの軸線方向に間隔を置いて２カ所に形成されている。固定ハブ２１の外周側の凹部３３には可動ハブ２２の外周部が向き合う。可動ハブ２２の外周部には整流翼１０の根元部１０ａを通す凹部３４が形成される。
【００２６】
空間３０に配置されたリテーナ２５は、図５に示すように、固定ハブ２１の正面側に形成されたボス３５にねじ３６で固定される。整流翼１０の根元部１０ａはリテーナ２５により固定ハブ２１の凹部３３の中に押しとどめられ、これにより整流翼１０は、根元部１０ａの軸線を中心にして回転できるように、且つ放射方向に抜け出すことがないように保持される。すなわちリテーナ２５は固定ハブ２１の凹部３３に組み合わせられることによって整流翼１０の軸受部を構成するものである。
【００２７】
固定ハブ２１の凹部３３は半円形であるのに対し、可動ハブ２２の凹部３４は円周方向に所定の長さを有し、これにより可動ハブ２２の固定ハブ２１に対する相対回転が可能となっている。
【００２８】
可動ハブ２２はリング状オーナメント２４に連結される。図６に示すように、可動ハブ２２の正面側に突出したボス３７をリング状オーナメント２４のボス３８に突き合わせ、ボス３７の側からボス３８にねじ３９をねじ込んで締め付けることにより、可動ハブ２２はリング状オーナメント２４に固定される。リング状オーナメント２４は、可動ハブ２２を回転させる操作部として機能する。
【００２９】
可動ハブ２２の固定ハブ２１に対する相対回転範囲を定めるのは、ボス３７を通すべくリム１１に形成された穴４０である。穴４０は円周方向に長い長穴となっており、その範囲内でボス３７の移動が可能である。
【００３０】
ボス３７と穴４０の組み合わせも、正面から見たとき、前ガード９の中心に対し点対称をなすように２組設けられている。
【００３１】
固定ハブ２１のボス２８は可動ハブ２２に形成された穴４１を通り抜ける。穴４１も後述する図１１に示すように円周方向に長い長穴であり、可動ハブ２２の固定ハブ２１に対する相対回転を妨げないようになっている。
【００３２】
各整流翼１０の根元部１０ａの中程にはピニオン４２が形成され、可動ハブ２２の背面側にはピニオン４２にかみ合うラック４３が形成される。図６に示す通り、ピニオン４２の歯は根元部１０ａの全周に存在する訳ではなく、１８０°に満たない角度範囲に存在する。ラック４３の歯も、全円をなすよう連続している訳ではなく、根元部１０ａに対応する箇所毎に、根元部１０ａを所定角度回転させるに足りる分だけ存在する。このような構成であるにも関わらず、前述の通り可動ハブ２２の回転範囲が制限されているので、ピニオン４２とラック４３のかみ合わせが外れてしまうことはない。
【００３３】
リテーナ２５の一部には、図７に示すように、整流翼１０の根元部１０ａを正面側から抱きかかえる半円形の凹部４４が形成されている。凹部４４の内面には所定の角度間隔で２個の係合凹部４５、４６が形成され、これに対応して根元部１０ａの外面には、所定の角度間隔で２個の係合突起４７、４８が形成されている。
【００３４】
係合凹部４５、４６と係合突起４７、４８はクリックストップ機構を構成し、整流翼１０を「加速位置」または「分散位置」に維持する。「加速位置」では係合突起４７が係合凹部４５に係合し、「分散位置」では係合突起４８が係合凹部４６に係合する。
【００３５】
リング状オーナメント２４をつかんでひねると、可動ハブ２２が回転し、ラック４３がピニオン４２を回転させ、整流翼１０の角度が図２の「加速位置」から図３の「分散位置」へ、あるいはその逆へと変化する。「加速位置」にある整流翼１０は、ファン７から渦巻状に前方に押し出される風を整流し、風速を高める。そこから９０°回転した「分散位置」にある整流翼１０は、風の通り道を塞いで風を弱め、さらに放射方向に風を分散させる。リング状オーナメント２４は直径が大きいので、可動ハブ２２を楽に回すことができる。
【００３６】
整流翼保持部２０は、リム１１に対して固定されているとは言うものの、その固定が絶対的に維持される保証はない。固定が緩くなり、様々な影響をもたらすことがある。特に問題になるのは、固定ハブ２１と可動ハブ２２の組み合わせとリム１１の対峙面の間隔である。固定ハブ２１とリム１１の間に可動ハブ２２が挟まれている構成では、前記対峙面の間隔が狭くなると可動ハブ２２とリム１１の間に接触が生じる可能性がある。特に、リム１１の塗装にムラがある場合など、塗装が盛り上がった箇所が可動ハブ２２と接触する可能性が高い。可動ハブ２２とリム１１が接触すると、可動ハブ２２を回転させるのに大きな操作力を要するようになる。また、整流翼保持部２０の固定が緩いと、モータの振動によりがたついて異音を発生することもある。
【００３７】
上記の問題を、本発明では次のようにして解決する。すなわち、固定ハブ２１と可動ハブ２２の組み合わせとリム１１の対峙箇所に、対峙面間に反発力を作用させる反発部材５０を配置する。
【００３８】
図８及び図９に第１実施形態として示す構造では、リム１１と可動ハブ２２の間に反発部材５０Ａを挟み込む。反発部材５０Ａを構成するのは波ワッシャである。
【００３９】
固定ハブ２１と可動ハブ２２の組み合わせとリム１１の対峙面間に反発部材５０Ａが反発力を作用させるから、可動ハブ２２とリム１１の間に接触が生じることがない。このため、可動ハブ２２を回転させるのに要する操作力、言い換えれば整流翼１０の角度変更に要する操作力が均一化される。またモータの振動で整流翼保持部２０ががたついて異音を発生するといったことも防止される。
【００４０】
反発部材５０Ａとして使用できるのは波ワッシャだけではない。発泡樹脂やフェルトのような弾性物質も使用可能である。反発部材５０Ａとしてどのようなものを用いるにせよ、それらとリム１１または可動ハブ２２との間の摩擦係数に留意して、可動ハブ２２の操作が重くならないようにする。
【００４１】
図１０から図１２に第２実施形態として示す構造では、可動ハブ２２の、リム１１への対峙面に反発部材５０Ｂを設ける。反発部材５０Ｂを構成するのは可動ハブ２２に一体成型された弾性係合突起５１であって、リム１１に接触する球形端面を有する頭部５１ａと、それを支える脚部５１ｂを可動ハブ２２から切り出したものである。弾性係合突起５１は脚部５１ｂの弾性でリム１１を圧迫し、固定ハブ２１と可動ハブ２２の組み合わせとリム１１の対峙面間に反発力を作用させる。反発部材５０Ｂは、前ガード９の中心に対し点対称をなすように２組設けてもよい。
【００４２】
リム１１には弾性係合突起５１を係合させる角度決め凹部５２が形成されている。ここではリム１１を貫通する穴を角度決め凹部５２としている。角度決め凹部５２は、整流翼１０の「加速位置」と「分散位置」に対応する位置に設ける。それらの中間の位置にも角度決め凹部５２を設け、整流翼１０が「加速位置」と「分散位置」の中間の姿勢で維持されるようにすることもできる。この第２実施形態は、第１実施形態と組み合わせて実施することができる。
【００４３】
弾性係合突起５１を可動ハブ２２にではなくリム１１に設け、角度決め凹部５２を可動ハブ２２に設けるという構成も可能である。
【００４４】
可動ハブ２２またはリム１１に弾性係合突起５１を形成して反発部材５０Ｂとすることにより、部品点数と組立工数が減り、製造コストを低減できる。
【００４５】
可動ハブ２２を回転させる操作部であるリング状オーナメント２４とリム１１の対峙箇所に反発部材５０Ａまたは５０Ｂを配置する構成も可能である。これによっても整流翼保持部２０のがたつきを押さえ、異音の発生を防止することができる。
【００４６】
図１３及び図１４に整流翼保持部２０の他の構成例を示す。ここでは、固定ハブ２１の正面側に、リテーナ２５の凹部４４に向き合うばね保持部６０を形成し、その中に入れた板ばね６１で、整流翼１０の根元部１０ａを凹部４４の方に押している。これにより、整流翼１０のがたつきを防止することができる。この構造は実施形態１または２に組み合わせて実施することができる。
【００４７】
以上、本発明の実施形態につき説明したが、本発明の範囲はこれに限定されるものではなく、発明の主旨を逸脱しない範囲で種々の変更を加えて実施することができる。
【産業上の利用可能性】
【００４８】
本発明は、扇風機に広く利用可能である。
【符号の説明】
【００４９】
１    扇風機
７    ファン
８    後ガード
９    前ガード
１０  整流翼
１０ａ  根元部
１１  リム
２０  整流翼保持部
２１  固定ハブ
２２  可動ハブ
２３  ディスク状オーナメント
２４  リング状オーナメント（操作部）
４２  ピニオン
４３  ラック
５０Ａ  反発部材
５０Ｂ  反発部材
５１  弾性係合突起
５２  角度決め凹部
【図１】
0005504805.tif 000002
【図２】
0005504805.tif 000003
【図３】
0005504805.tif 000004
【図４】
0005504805.tif 000005
【図５】
0005504805.tif 000006
【図６】
0005504805.tif 000007
【図７】
0005504805.tif 000008
【図８】
0005504805.tif 000009
【図９】
0005504805.tif 000010
【図１０】
0005504805.tif 000011
【図１１】
0005504805.tif 000012
【図１２】
0005504805.tif 000013
【図１３】
0005504805.tif 000014
【図１４】
0005504805.tif 000015